(57)【要約】      （修正有）【課題】廃棄物収容ホースの密封を向上し、望ましくない臭気の漏出をより良好に回避する廃棄物収容装置及び廃棄物収容システムを提供する。【解決手段】容器開口８を有する容器２、３と、容器開口８の領域において容器２、３に回動可能に取り付けられる駆動リング１２とを備え、駆動リング１２の中央開口に通してガイドされる廃棄物収容袋又は廃棄物収容ホース１３を捕捉する。さらに廃棄物収容装置１は、ギアロッド２５であって、その第１の端部において容器２、３内で可動にガイドされ、駆動リング１７に連結され、またその自由な第２の端部において蓋９に面するギアロッド２５も備える【選択図】図１
2017190208.tif 000002
【特許請求の範囲】
【請求項１】
廃棄物収容装置（１）であって、該廃棄物収容装置は、
容器開口（８）を有する容器（２、３）と、
前記容器開口（８）を開閉するように前記容器（２、３）に枢動可能に取り付けられる蓋（９）と、
前記容器開口（８）の領域において前記容器（２、３）に回動可能に取り付けられる駆動リング（１２）であって、該駆動リング（１２）の中央開口に通してガイドされる廃棄物収容袋又は廃棄物収容ホース（１３）を捕捉するように設計されている、駆動リング（１２）と、
を備え、
ギアロッド（２５）であって、その第１の端部において前記容器（２、３）内で可動にガイドされ、前記駆動リング（１７）に連結され、またその自由な第２の端部において前記蓋（２５）に面するギアロッド（２５）を特徴とする、廃棄物収容装置。
【請求項２】
請求項１に記載の廃棄物収容装置（１）であって、前記駆動リング（１７）は、前記ギアロッド（２５）に連結される歯部及びそれぞれギアリング（２１）を備えることを特徴とする、請求項１に記載の廃棄物収容装置。
【請求項３】
請求項２に記載の廃棄物収容装置（１）であって、前記駆動リング（１７）は、ベベルギアホイール（２２）と協働する歯部及びそれぞれギアリング（２１）を備え、前記ベベルギアホイール（２２）は、前記ギアロッド（２５）と協働するギアホイール（２４）に連結されることを特徴とする、請求項２に記載の廃棄物収容装置。
【請求項４】
請求項１〜３のいずれか１項に記載の廃棄物収容装置（１）であって、前記ギアロッド（２５）はフリーホイールユニットに連結されることを特徴とする、請求項１〜３のいずれか１項に記載の廃棄物収容装置。
【請求項５】
請求項１〜４のいずれか１項に記載の廃棄物収容装置（１）であって、前記ギアロッド（２５）は線形／直線形であることを特徴とする、請求項１〜４のいずれか１項に記載の廃棄物収容装置。
【請求項６】
請求項１〜５のいずれか１項に記載の廃棄物収容装置（１）であって、前記ギアロッド（２５）は鉛直方向に向いていることを特徴とする、請求項１〜５のいずれか１項に記載の廃棄物収容装置。
【請求項７】
請求項１〜６のいずれか１項に記載の廃棄物収容装置（１）であって、前記ギアロッド（２５）は、前記蓋（９）を前記容器（２、３）に枢動可能に取り付けるヒンジ（１０）に向かい合って配置されることを特徴とする、請求項１〜６のいずれか１項に記載の廃棄物収容装置。
【請求項８】
請求項１〜７のいずれか１項に記載の廃棄物収容装置（１）であって、前記ギアロッド（２５）はばね付勢されることを特徴とする、請求項１〜７のいずれか１項に記載の廃棄物収容装置。
【請求項９】
請求項１〜８のいずれか１項に記載の廃棄物収容装置（１）であって、前記ギアロッド（２５）及びそれぞれ前記駆動リング（１２）は、その動作において手動で駆動されることを特徴とする、請求項１〜８のいずれか１項に記載の廃棄物収容装置。
【請求項１０】
請求項１〜９のいずれか１項に記載の廃棄物収容装置（１）であって、前記駆動リング
（１２）は弾性のフラップ／蓋（１５）を含む漏斗部を備えることを特徴とする、請求項１〜９のいずれか１項に記載の廃棄物収容装置。
【請求項１１】
請求項１〜１０のいずれか１項に記載の廃棄物収容装置（１）であって、前記容器（２、３）に取り付けられ、前記廃棄物収容袋又は前記廃棄物収容ホース（１３）を固定するように設計されている締め具（２８）を特徴とする、請求項１〜１０のいずれか１項に記載の廃棄物収容装置。
【請求項１２】
請求項１〜１１のいずれか１項に記載の廃棄物収容装置（１）であって、前記廃棄物収容袋又は前記廃棄物収容ホース（１３）を収めるリング状の収容カセット（１７）を受けるホルダー（１６）を特徴とする、請求項１〜１１のいずれか１項に記載の廃棄物収容装置。
【請求項１３】
請求項１２に記載の廃棄物収容装置（１）であって、前記ホルダー（１６）は前記容器（２、３）に取り付けられることを特徴とする、請求項１２に記載の廃棄物収容装置。
【請求項１４】
請求項１２に記載の廃棄物収容装置（１）であって、前記ホルダー（１６）は、一緒に回動するように前記駆動リング（１７）に取り付けられるか又は該駆動リング（１７）によって構成されることを特徴とする、請求項１２に記載の廃棄物収容装置。
【請求項１５】
請求項１〜１４のいずれか１項に記載の廃棄物収容装置（１）であって、前記駆動リング（１７）に連結されるクランクハンドルを特徴とする、請求項１〜１４のいずれか１項に記載の廃棄物収容装置。
【請求項１６】
廃棄物収容システム（２０）であって、請求項１２〜１５のいずれか１項に記載の廃棄物収容装置（１）と、前記廃棄物収容袋又は前記廃棄物収容ホース（１３）を収める収容カセット（１７）とを特徴とする、廃棄物収容システム。
【発明の詳細な説明】
【技術分野】
【０００１】
本発明は、容器開口を有する容器と、容器開口を開閉するように容器に枢動可能に取り付けられる蓋とを備える廃棄物収容装置に関する。さらに、本廃棄物収容装置は、駆動リングであって、容器開口の領域において容器に回動可能に取り付けられ、駆動リングの中央開口に通してガイドされる廃棄物収容袋又は廃棄物収容ホースを捕捉するように設計されている駆動リングを備える。さらに、本発明は、上記種類の廃棄物収容装置と、廃棄物収容袋又は廃棄物収容ホースを収める収容カセットとを備える廃棄物収容システムに関する。
【背景技術】
【０００２】
上記種類の廃棄物収容装置は一般的に知られており、全ての種類の廃棄物の廃棄に用いられ、また特に乳児用おむつ及び／又は成人用おむつ、及び／又は他の個人廃棄物質の廃棄に用いられている。或る廃棄物は望ましくない臭気を発生し、新たな廃棄物の廃棄のために廃棄物収容装置が開放されるたびに、廃棄物収容装置に既に廃棄されている廃棄物の臭気がこの装置から漏れる。この臭気はほとんどの使用者にとって非常に不快である。
【０００３】
例えば、特許文献１は、容器の蓋に取り付けられる円弧形状のギアロッドを備える廃棄物収容装置を開示している。蓋が作動される場合、廃棄物を収納するプラスチックホースが自動的に捻れることにより、望ましくない臭気を内部に維持する。しかしながら、満足な密封のために捻りが十分でない場合に、使用者が追加して数回転させるようにホースを捻ることができない。使用者ができることは、蓋を上下に動かしてホースを更に捻ることだけであり、これは非常に不便である。この蓋の動きは、室内に望ましくない臭気を分散させる空気流を発生させることが更に不都合である。
【０００４】
特許文献２及び特許文献３が更なる従来技術をなしており、同じ欠点を有する自動動作式の廃棄物収容装置を示している。
【０００５】
特許文献４は、廃棄物収容容器の更なる一例を示している。この廃棄物収容容器は、廃棄物収容ホースを捻る手段を備える。具体的には、ホースを捕捉して捻る駆動リングが、フットペダルによって操作される。不都合なことに、この廃棄物収容容器は、廃棄物が廃棄される場合に自動的にホースを捻るのではなく、別個の動作としてフットペダルを押圧する必要があり、これもまた不便である。さらに、フットペダルが廃棄物の廃棄のすぐ後に押圧されない場合、臭気が阻止されずにホースから放たれる可能性がある。
【先行技術文献】
【特許文献】
【０００６】
【特許文献１】米国特許出願公開第２００２／０１６２３０４号
【特許文献２】米国特許第８，２１５，０８９号
【特許文献３】米国特許出願公開第２０１０／０００５７６２号
【特許文献４】米国特許第９，１０２，４６７号
【発明の概要】
【発明が解決しようとする課題】
【０００７】
したがって、本発明の課題は、廃棄物収容ホースの密封を向上し、望ましくない臭気の漏出をより良好に回避する廃棄物収容装置及び廃棄物収容システムを提供することである。特に、廃棄物収容装置は、蓋の開放及び／又は閉鎖に関して自動動作を提供し、また一方で、要求に応じて適切に自発的に操作することが可能であるものとする。
【課題を解決するための手段】
【０００８】
本発明の課題は、冒頭の段落に規定される廃棄物収容装置であって、その第１の端部において容器内で可動にガイドされ、駆動リングに連結され、またその自由な第２の端部において蓋に面するギアロッドを更に備える廃棄物収容装置によって解決される。
【０００９】
さらに、本発明の課題は、上記種類の廃棄物収容装置と、廃棄物収容袋又は廃棄物収容ホースを収める収容カセットとを備える廃棄物収容システムによって解決される。
【００１０】
蓋が開放及び／又は閉鎖される場合、駆動リングの回動によって廃棄物収容ホース又は廃棄物収容袋が捻れ、それにより自動的に閉鎖されることが有利である。一方で、蓋は、容器開口を閉鎖することにより防臭部を提供する。他方で、ギアロッドが蓋によって押し下げられる場合、廃棄物収容ホース又は廃棄物収容袋を捻ることにより防臭がもたらされる。このようにして、望ましくない臭気が廃棄物収容ホース及びそれぞれ廃棄物収容袋の内部に維持される。さらに、使用者は、例えば特定の場合において蓋による自動的な捻りが不十分であると考える場合、蓋を動かすことなくギアロッド及びひいては駆動リングを自発的に作動させることができる。
【００１１】
概して、駆動リングは、駆動リングに触れるか又は駆動リングの中央開口に通してガイドされる廃棄物収容ホース／廃棄物収容袋に触れる必要なく、作動及びそれぞれ回動させることができる。
【００１２】
更なる有利な実施形態は、特許請求の範囲及び明細書及び図面に開示される。
【００１３】
本発明の有益な一実施形態において、駆動リングは、ギアロッドに連結される歯部及びそれぞれギアリングを備える。このようにして、ギアロッドの運動は回動に変換される。
【００１４】
駆動リングは、ベベルギアホイールと協働する歯部及びそれぞれギアリングを備える場合が特に有利である。ベベルギアホイールは、ギアロッドと協働するギアホイールに連結される。このようにして、ギアロッドの移動方向を駆動リングの回転軸に対して平行に向けることができる。したがって、ギアロッドは、上記移動方向及びそれぞれ上記軸が鉛直方向に向けられている場合、上側から作動させることができる。
【００１５】
更に別の有益な実施形態において、ギアロッドは、フリーホイールユニットに連結される。詳細には、上記実施形態のベベルギアは、フリーホイールユニットを含んでもよい。しかしながら、フリーホイールユニットは、駆動機構の任意の他のホイールにも用いてもよい。フリーホイールユニットにより、例えばギアロッドが前後及びそれぞれ上下に移動される場合の廃棄物収容ホース又は廃棄物収容袋の捻り及びその後の捻り解除が回避される。
【００１６】
ギアロッドは線形／直線形であることが有益である。したがって、ギアロッドは線形運動によって押され、これは人間（humans）によって容易に行うことができる。さらに、線形／直線形のギアロッドの製造は比較的容易である。この理由により、単純な技術的手段を用いて、提案される廃棄物収容装置を実現することができる。
【００１７】
更に別の有益な実施形態において、ギアロッドは鉛直方向に向いている。したがって、捻り機構を作動させるためにギアロッドは押し下げられる。下向き移動もまた、人間によって容易に実行することができる。
【００１８】
さらに、ギアロッドは、廃棄物収容装置の有益な一実施形態において、蓋を容器に取り
付けるヒンジに向かい合って配置される。このようにして、ギアロッドの移動距離は比較的長くなる。この理由により、操作に必要な力は小さく、捻り機構を容易に動作させることができる。
【００１９】
ギアロッドは、更に別の有益な実施形態において、ギアロッドが作動後にその無作動位置（idle position：アイドル位置）に自動的に移動するようにばね付勢してもよい。したがって、捻り機構を作動させるためには、前後運動は必要とされず、押し引き運動のみが必要となる。
【００２０】
駆動リングは、その動作において直接的に又は間接的に手動で駆動されることが有益である。このようにして、エネルギー源又は給電線へのコネクタの必要性を省くことができる。それでもなお、駆動リングは、（電気）モーターによってここでも直接的に又は間接的に駆動してもよい。
【００２１】
駆動リングは、弾性のフラップ／蓋を含む漏斗部を備えることが有利である。したがって、廃棄物を廃棄物収容ホース又は廃棄物収容袋に投入することが容易になる。さらに、廃棄物の廃棄後、弾性のフラップ／蓋はそれらの無作動位置に跳ね戻り、ひいては駆動リングが回動される前でさえも廃棄物収容ホース又は廃棄物収容袋を閉鎖する。
【００２２】
更なる有利な一実施形態において、廃棄物収容装置は、容器に取り付けられ、廃棄物収容袋又は廃棄物収容ホースを固定するように設計されている締め具を備える。このようにして、廃棄物収容ホース又は廃棄物収容袋を捻ることによる廃棄物収容ホース又は廃棄物収容袋の閉鎖が向上される。
【００２３】
別の有利な実施形態において、廃棄物収容装置は、廃棄物収容袋又は廃棄物収容ホースを収めるリング状の収容カセットを受けるホルダーを備える。したがって、収容カセットを交換する必要なく、何回も廃棄物を廃棄することができる。
【００２４】
ホルダーは容器に取り付けられることが有益である。好ましい一実施形態において、収容カセットは、ホルダー上に単に載置される。収容カセットは、駆動リングの動きに追従するように旋回自在としてもよいし、駆動リングと一緒に回動するのを回避するようにホルダーに固定してもよい。
【００２５】
更なる有益な一実施形態において、ホルダーは、一緒に回動するように駆動リングに取り付けられるか又は駆動リングによって構成される。好ましい一実施形態において、収容カセットは、駆動リング上に単に載置される。その場合、概して、収容カセットは駆動リングとともに同期して回動する。この理由により、収容カセット内の廃棄物収容ホース又は廃棄物収容袋の望ましくない捻りが回避される。
【００２６】
更なる有益な一実施形態において、廃棄物収容装置は、駆動リングに連結されるクランクハンドルを備える。こうして、駆動リングに触れる必要なく、駆動リングを駆動及びそれぞれ旋回させる代替的な手段が提供される。
【００２７】
本発明のより良好な理解のために、本発明の実施形態を示す図が以下に提示される。
【図面の簡単な説明】
【００２８】
【図１】廃棄物収容装置の断面図である。
【図２】廃棄物収容装置の上部の断面図である。
【図３】廃棄物収容装置の異なる角度での断面図である。
【図４】蓋が開放されている廃棄物収容システムの斜視図である。
【図５】ハウジングが開放されている廃棄物収容システムの斜視図である。
【発明を実施するための形態】
【００２９】
概して、同じ部品又は同様の部品は、同じ／同様の名称及び参照符号で示されている。本明細書に開示される特徴は、同じ／同様の名称及びそれぞれ参照符号を有する部品に当てはまる。向き及び相対位置（上、下、側方等）の指示は、関連の図に関するものであり、向き及び／又は相対位置の指示は、異なる図において場合に応じて改める必要がある。
【００３０】
図１〜図５は、廃棄物収容装置及びそれぞれ廃棄物収容システムの一例を示している。図１は、廃棄物収容装置の断面ＡＡを示し、図２は、廃棄物収容装置の上部の断面を示し、図３は、廃棄物収容装置の断面ＢＢを示し、図４は、蓋が開放している廃棄物収容システムの斜視図を示し、図５は、ハウジングが開放している廃棄物収容システムの斜視図を示している。図４は、図１〜図３の断面の向きを更に示している。
【００３１】
廃棄物収容装置１は、上側容器部２及び下側容器部３を有する容器を備える。上側容器部２及び下側容器部３は双方ともプラスチック製であることが好ましい。双方の容器部２及び３は、上側容器部２を下側容器部３に対して枢動させて、容器の内部空間をアクセス可能にすることができるように、第１のヒンジ４によってともに連結される。ハンドル５が容器の開放を容易にする。通常動作では、上側容器部２は、リセス７にラッチ係合するボタン６によって、下側容器部３に固定される。ボタン６を押圧することにより、このロックは解除することができる。
【００３２】
容器２、３の上には、蓋９によって閉鎖される容器開口８がある。蓋９は、蓋９を上側容器部２に対して枢動させて、容器開口８をアクセス可能にすることができるように、第２のヒンジ１０によって上側容器部２に取り付けられる。また、蓋９の自動開放のために、必要に応じてばね１１が存在してもよい。
【００３３】
廃棄物収容装置１は、駆動リング１２を更に備える。駆動リング１２は、容器開口８の領域において容器に回動可能に取り付けられ、駆動リング１２の中央開口に通してガイドされる廃棄物収容袋又は廃棄物収容ホース／チューブ１３を捕捉するように設計されている。この例では、駆動リング１２は、支持体１４上に取り付けられ、弾性のフラップ／蓋１５を含む漏斗部を必要に応じて備える。廃棄物収容袋又は廃棄物収容ホース／チューブ１３は、プラスチックフィルム製であることが好ましく、フラップ／蓋１５は、エラストマー製であることが好ましい。
【００３４】
さらに、廃棄物収容装置１は、廃棄物収容袋又は廃棄物収容ホース１３を収めるリング状の収容カセット１７を受けるホルダー１６を備える。この例では、収容カセット１７は、下側リング１８及び上部リング１９を含む。さらに、この例では、収容カセット１７は、上側容器部２の一部であるホルダー１６上に単に載置される。したがって、廃棄物収容カセット１７は旋回自在とすることができる。またその一方で、収容カセット１７は、（回動を回避するように）ホルダー１６に固定してもよいし、ホルダー１６は、一緒に回動するように駆動リング１２に取り付けるか又は駆動リング１２によって構成されてもよい。ホルダー１６が省かれてそれぞれ駆動リング１２の一部である場合、収容カセット１７が駆動リング１２上に載置されることは容易に想定することができる。
【００３５】
廃棄物収容装置１は、収容カセット１７とともに廃棄物収容システム２０を形成する。
【００３６】
駆動リング１２は、図に示すように歯部を有してもよい。具体的には、駆動リング１２は、ギアリング２１に取り付けられ、それぞれギアリング２１を備える。ギアリング２１は、軸２３によって容器に回動可能に取り付けられるギアホイール２２と協働する。この
例では、ギアリング２１は、ベベルギアホイール２２と協働するベベル状の歯部を有する。ベベルギアホイール２２は、ギアロッド２５と協働するギアホイール２４に連結される。
【００３７】
また代替的には、ギアロッド２５は、ギアリング２１と直接協働してもよい。その場合、ギアロッド２５は水平方向に向けられる。しかしながら、容器開口８が鉛直方向に向けられる場合、ギアロッド２５も鉛直方向に向けることができる。
【００３８】
更なる一代替形態において、クランクハンドルを駆動リング１２に連結してもよい。例えば、軸２３は、図示しているよりも長くし、容器の外に達してもよい。その場合、クランクハンドルは、容器の外側において軸２３に取り付けてもよい（図３の左側）。
【００３９】
ギアロッド２５は、その第１の端部においてガイド２６によって容器２、３内でガイドされ、また、ギアロッド２５が作動後にその無作動位置になるようにばね付勢することができる。ギアはギアボックス２７によって包囲される。さらに、容器は、ギアボックス２７に取り付けられ、廃棄物収容袋又は廃棄物収容ホース１３を固定するように設計されている締め具２８を備えてもよい。ガイド２６又は締め具２８の領域に、必要に応じて刃２９を取り付けてもよい。ベベルギアホイール２２及び／又はギアホイール２４（又は駆動機構の任意の他のホイール）は、フリーホイールユニットを更に含んでもよい。さらに、図３に示すように、ギアロッド２５はその頂端部に、厚肉部及びそれぞれ押しボタン３０を必要に応じて有してもよい。
【００４０】
廃棄物収容装置１及びそれぞれ廃棄物収容システム２０の機能は以下のとおりである。
【００４１】
第１のステップにおいて、収容カセット１７がホルダー１６に取り付けられ、廃棄物収容ホース１３が上方に引っ張られて、次に駆動リング１２に通される。ノット３１が廃棄物収容ホース１３の端部を閉鎖する。ここで、廃棄物収容システム２０は使用準備が完了する。
【００４２】
次のステップにおいて、乳児用おむつ若しくは成人用おむつ、又は他の個人廃棄物質等の廃棄物を収容ホース１３に投入し、収容ホース１３に廃棄することができる。このために、容器の前側にある対応するボタンが押圧される場合、ポップアップ蓋９がばね１１によって自動的に開放される。さらに、ギアロッド２５もばね（図示せず）によって上方に移動する。
【００４３】
使用者の片手のみによってボタンを単に押圧することで蓋９が開放するので、他方の手は、これと同時に例えば乳児を抱えるように自由である。また一方で、ばね１１は省いてもよい。その場合、蓋９は、単純な持ち上げ動作によって開放される。
【００４４】
廃棄物が回動する漏斗部に通して投入されると、弾性のフラップ／蓋１５はそれらの無作動位置に跳ね戻り、廃棄物収容ホース１３を閉鎖する。ここで蓋９が閉鎖される場合、蓋９はギアロッド２５を押し下げる。したがって、蓋９は容器開口８を閉鎖し、ギアロッド２５と協働する。ギアロッド２５の移動によって、ギアホイール２４と、ベベル状のギアホイール２２と、最終的には駆動リング１２とが回動される。それにより、廃棄物収容ホース１３が捻れて閉鎖される。
【００４５】
弾性のフラップ／蓋１５の跳ね返り運動及び捻り運動によって、臭気は廃棄物収容ホース１３の内部に維持される。蓋９による上記自動動作に加えて、要求に応じてギアロッド２５が自発的に操作される場合、防臭を更に向上することができる。駆動リング１２は、例えば押しボタン３０を押圧することによって、又は存在する場合は駆動リング１２に連
結されるクランクハンドルを旋回させることによって、自発的に操作することができる。これに関して、ギアロッド２５は、ギアリング２１と直接協働してもよく、水平方向に向けてもよいことも留意すべきである。この場合、押しボタン３０は、容器の側部に配置してもよい。
【００４６】
上記例では、駆動リング１２は、例えば手で蓋９を閉鎖することによって又は押しボタン３０を押圧することによって、手動で駆動される。その一方で、モーターによる動作も想定可能である。例えば、蓋９が閉鎖される場合であって、それぞれロッド２５が押圧される際に作動されるスイッチが、タイマー及び駆動リング１２に連結されるモーターを始動させることができる。このようにして、駆動リング１２は、或る（規定された）時間だけ自動的に旋回する。
【００４７】
上記で開示した例では、収容カセット１７は、ホルダー１６上に単に載置されており、駆動リング１２が動作される場合に旋回自在である。ホルダー１６及び収容カセット１７は、ホルダーが駆動リング１２に固定されている場合、駆動リング１２とともに同期して運動してもよい。その一方で、収容カセット１７は、（駆動リング１２と一緒に回動するのを回避するように）ホルダー１６に固定してもよい。
【００４８】
さらに、上記例では、フリーホイールユニットが、ギアロッド２５が押圧及び解放される場合の駆動リング１２の前後運動、並びにひいては廃棄物収容ホース１３の捻り及び捻り解除を回避する。その一方でこのために、代わりにすなわち代替的に弾性のフラップ／蓋１５を（例えば鋸歯のように）非対称の形状としてもよい。さらに、締め具２８を用いて、捻り機能を向上させてもよい。廃棄物の廃棄後、容器は、ボタン６を押圧すること及びハンドル５を使用して上側容器部２を持ち上げることによって開放される。次に、廃棄物収容ホース１３の捻れ部は、締め具２８によって締付け固定される（図５を参照）。
【００４９】
好ましい一実施形態において、締め具２８の領域及びそれぞれガイド２６の領域に刃２９が配置される。このようにして、廃棄物収容ホース１３から一片を切断してもよい。これに関して、廃棄物収容装置１の使用は、廃棄物収容ホース１３の使用に限定されないことも留意されるべきである。代替的には、廃棄物収容袋も使用してもよい。簡単に述べると、その場合、ノット３１は省いてもよい。いずれにしろ、上記で開示した機能は、廃棄物収容袋に均等に当てはまる。
【００５０】
上記例では、ギアロッド２５は線形／直線形である。しかしながら、これは必要条件ではなく、ギアロッド２５はまた円弧形状としてもよい。さらに、ギアロッド２５は、図示の例とは対照的に傾斜して又は水平方向に向いていてもよい。この場合、プッシュロッド２５の自由な第２の端部は、蓋９の楔部に面してもよい。この楔部は、蓋９の鉛直方向運動又は枢動運動をプッシュロッド２５の水平方向運動に変換する。
【００５１】
図示の例では、ギアロッド２５は、ヒンジ１０の近位に配置される。これにより、ギアロッド２５の移動距離を短くすることが可能になる。しかしながら、ギアロッド２５は、ヒンジ１０に向かい合い、ひいてはヒンジ１０から図示よりも大きい距離を置いて配置してもよく、これにより、作動力を小さくすることが可能になる。
【００５２】
結論として、望ましくない臭気を廃棄物収容ホース１３及びそれぞれ廃棄物収容袋の内部に維持する廃棄物収容装置１及び廃棄物収容システム２０が提供される。廃棄物収容装置１はギアロッド２５を備える。ギアロッド２５は、その第１の端部（ここではその下端部）において容器２、３内で可動にガイドされ、駆動リング１７に連結され、またその自由な第２の端部（ここではその上端部）において蓋２５に面する。廃棄物収容装置１は、蓋２５の開放及び／又は閉鎖の自動動作を提供し、また一方で、要求に応じて、ギアロッ
ド２５の自由端部において押しボタン３０を用いて適切に自発的に操作することが可能である。
【００５３】
本発明は、上記に開示した実施形態に限定されず、様々な変形形態の組合せが可能であることが留意される。実際、廃棄物収容装置１及びそれぞれ廃棄物収容システム２０は、図に示されているよりも多いか又は少ない部品を有してもよい。廃棄物収容装置１及びそれぞれ廃棄物収容システム２０並びにそれらの部品は、様々な縮尺で示されている場合もあり、示されているよりも大きいか又は小さくてもよい。最後に、上記記載は、更なる独立の発明の主題を包含することができる。
【符号の説明】
【００５４】
１  廃棄物収容装置
２  上側容器部
３  下側容器部
４  第１のヒンジ
５  ハンドル
６  ボタン
７  リセス
８  容器開口
９  蓋
１０  第２のヒンジ
１１  ばね
１２  駆動リング
１３  廃棄物収容ホース／チューブ
１４  支持体
１５  弾性の蓋／フラップ
１６  ホルダー
１７  収容カセット
１８  下側リング
１９  上部リング
２０  廃棄物収容システム
２１  ギアリング／歯部
２２  ベベル状のギアホイール
２３  軸
２４  ギアホイール
２５  ギアロッド
２６  ギアロッドガイド
２７  ギアボックス
２８  締め具
２９  刃
３０  厚肉部／押しボタン
３１  ノット
【図１】
2017190208.tif 000003
【図２】
2017190208.tif 000004
【図３】
2017190208.tif 000005
【図４】
2017190208.tif 000006
【図５】
2017190208.tif 000007
【外国語明細書】
2017190208.tif 000008
2017190208.tif 000009
2017190208.tif 000010
2017190208.tif 000011
2017190208.tif 000012
2017190208.tif 000013
2017190208.tif 000014
2017190208.tif 000015
2017190208.tif 000016
2017190208.tif 000017
2017190208.tif 000018
2017190208.tif 000019
2017190208.tif 000020
2017190208.tif 000021
2017190208.tif 000022
2017190208.tif 000023
2017190208.tif 000024
2017190208.tif 000025